(57)【要約】【課題】利便性を損ねることなく、車内の人に与える不快感を抑えつつ、車外の人に報知音を聴こえやすくすることができる車両用ドア開閉装置を提供する。【解決手段】スライドドア１を開閉駆動するドアモータ２１と、車内に配置され報知音を発するブザー２２と、ブザー２２を駆動する音出力部１６と、スライドドア１の開閉位置を検出するパルス取得部１２と、スライドドア１の開閉駆動時、スライドドア１の開閉位置が全閉位置から全開位置に近付くほど、ブザー２２が発する報知音の音量の大きさを抑えるように音出力部１６を制御する音量制御部１５とを備える。【選択図】図１
2014058814.tif 000002
【特許請求の範囲】
【請求項１】
車両ドアを開閉駆動するドア駆動手段と、
車内に配置され、前記車両ドアの開閉を報知する報知音を発する音発生手段と、
前記音発生手段を駆動する音駆動手段と、
前記車両ドアの開閉位置を検出する検出手段と、
前記車両ドアの開閉駆動時、前記車両ドアの開閉位置が全閉位置から全開位置に近付くほど、前記音発生手段が発する報知音の音要素の度合いを抑えるように前記音駆動手段を制御する音制御手段とを備えたことを特徴とする車両用ドア開閉装置。
【請求項２】
請求項１に記載の車両用ドア開閉装置において、
前記車両ドアの開閉駆動を要求する複数の操作部材と、
前記車両ドアの開閉駆動を要求した前記操作部材の位置を取得する操作位置取得手段とを備え、
前記音制御手段は、前記取得された操作部材の位置が車内である場合の方が、車外である場合よりも前記音発生手段が発する報知音の音要素の度合いが小さくなるように前記音駆動手段を制御することを特徴とする車両用ドア開閉装置。
【発明の詳細な説明】
【技術分野】
【０００１】
本発明は、車両ドアの開閉駆動時に報知音を発する車両用ドア開閉装置に関するものである。
【背景技術】
【０００２】
従来、こうした車両用ドア開閉装置としては、例えば特許文献１に記載されたものが知られている。この車両用ドア開閉装置は、車内に取り付けられたブザーを備えており、車両ドアの開作動時に該車両ドアが所定開度に達すると所定時間一時停止させるとともに、その後に車両ドアを再開作動させるときにブザーを駆動するというものである。
【０００３】
これは、通常、車両ドアの全閉状態では車内のブザーの報知音が車外の人には聴こえにくくなるのに対し、車両ドアが所定開度だけ開放された状態でブザーを駆動することで、比較的小さい音量の大きさであっても車外の人に聴こえるようにするためである。これにより、過度の音量の大きさに起因する車内の人に与える不快感も低減できるとしている。
【先行技術文献】
【特許文献】
【０００４】
【特許文献１】特許第３９６０３２８号公報
【発明の概要】
【発明が解決しようとする課題】
【０００５】
ところで、特許文献１では、車両ドアが所定開度に達した段階で一時停止することになり、車両ドアを全開するまでの時間が長くなって利便性を損ねる可能性がある。
本発明の目的は、利便性を損ねることなく、車内の人に与える不快感を抑えつつ、車外の人に報知音を聴こえやすくすることができる車両用ドア開閉装置を提供することにある。
【課題を解決するための手段】
【０００６】
上記問題点を解決するために、請求項１に記載の発明は、車両ドアを開閉駆動するドア駆動手段と、車内に配置され、前記車両ドアの開閉を報知する報知音を発する音発生手段と、前記音発生手段を駆動する音駆動手段と、前記車両ドアの開閉位置を検出する検出手段と、前記車両ドアの開閉駆動時、前記車両ドアの開閉位置が全閉位置から全開位置に近付くほど、前記音発生手段が発する報知音の音要素の度合いを抑えるように前記音駆動手段を制御する音制御手段とを備えたことを要旨とする。
【０００７】
一般に、車内から発せられる報知音は、前記車両ドアの開閉位置が全閉位置に近付くほど車外の人に聴こえにくくなり、全開位置に近付くほど車外の人に聴こえやすくなる。同構成によれば、前記車両ドアの開閉駆動時、前記車両ドアの開閉位置が全開位置に近付くほど、前記音発生手段が発する報知音の音要素の度合いを抑えるように前記音制御手段により前記音駆動手段が制御されることで、過度の音要素の度合いで車内の人に不快感を与えることを抑えることができる。反対に、前記車両ドアの開閉駆動時、前記車両ドアの開閉位置が全閉位置に近付くほど、前記音発生手段が発する報知音の音要素の度合いが甚だしくなるように前記音制御手段により前記音駆動手段が制御されることで、車外の人に聴こえやすくすることができる。
【０００８】
また、前記車両ドアの開閉駆動の進捗に影響を及ぼすことがなく、利便性を損ねることもない。
請求項２に記載の発明は、請求項１に記載の車両用ドア開閉装置において、前記車両ドアの開閉駆動を要求する複数の操作部材と、前記車両ドアの開閉駆動を要求した前記操作部材の位置を取得する操作位置取得手段とを備え、前記音制御手段は、前記取得された操作部材の位置が車内である場合の方が、車外である場合よりも前記音発生手段が発する報知音の音要素の度合いが小さくなるように前記音駆動手段を制御することを要旨とする。
【０００９】
通常、前記車両ドアの開閉駆動を要求した前記操作部材の位置が車内である場合、車内に人がいる可能性が高くなり、反対に、前記車両ドアの開閉駆動を要求した前記操作部材の位置が車外である場合、車外に人がいる可能性が高くなる。同構成によれば、前記取得された操作部材の位置が車内である場合、前記音発生手段が発する報知音の音要素の度合いを抑えるように前記音制御手段により前記音駆動手段が制御されることで、車内に人に不快感を与えることを抑えることができる。反対に、前記取得された操作部材の位置が車外である場合、前記音発生手段が発する報知音の音要素の度合いが甚だしくなるように前記音制御手段により前記音駆動手段が制御されることで、車外の人に聴こえやすくすることができる。
【発明の効果】
【００１０】
本発明は、利便性を損ねることなく、車内の人に与える不快感を抑えつつ、車外の人に報知音を聴こえやすくできる効果がある。
【図面の簡単な説明】
【００１１】
【図１】本発明の一実施形態の電気的構成を示すブロック図。
【図２】スライドドアの開閉位置と音量との関係を示すマップ。
【図３】トリガ種類と音量との関係を示すテーブル。
【図４】同実施形態の制御態様を示すフローチャート。
【図５】スライドドアの開閉位置と周波数との関係を示すマップ。
【図６】トリガ種類と周波数との関係を示すテーブル。
【発明を実施するための形態】
【００１２】
以下、本発明を自動車などの車両のパワースライドドアシステムに適用した一実施形態について図面に従って説明する。
図１に示すように、車両ボデーに設置されるドアＥＣＵ（Electronic Control Unit ）１０は、例えばマイクロ・コントローラ（ＭＣＵ）を主体に構成されており、例えばＤＣモータからなるドア駆動手段としてのドアモータ２１と電気的に接続されている。このドアモータ２１は、適宜の伝達機構（図示略）を介して車両ドアとしてのスライドドア１に連係されている。このスライドドア１は、車両ボデーの側部に適宜の支持部材（図示略）を介して車両前後方向に移動可能に支持されており、車両前後方向への移動に伴って乗降用の開口部を開閉する。ドアＥＣＵ１０は、ドアモータ２１の駆動制御によりスライドドア１を電動で開閉作動させる。
【００１３】
また、ドアＥＣＵ１０は、車内（例えば車両ボデーやスライドドア１の内板であるインナパネル、ドアＥＣＵ１０の基板上など）に配置・取着された音発生手段としてのブザー２２と電気的に接続されている。ドアＥＣＵ１０は、各種タイミングに合わせてブザー２２を駆動してスライドドア１の開閉を報知する報知音を発生させるとともに、該ブザー２２の発する報知音の音要素としての音量（音圧、音圧レベル）を調整する。
【００１４】
詳述すると、ドアＥＣＵ１０は、作動トリガ取得部１１と、パルス取得部１２と、ドア制御部１３、ドアモータ制御部１４と、音量制御部１５と、音出力部１６とを有する。
作動トリガ取得部１１は、例えば運転席側に臨んでダッシュボードに設置された運転席操作スイッチ２３、インサイドドアハンドルＩＨに設置されたインサイドハンドルスイッチ２４、アウトサイドドアハンドルＯＨに設置されたアウトサイドハンドルスイッチ２５及び車両ボデーに搭載された車載機２６とそれぞれ電気的に接続されている。なお、インサイドドアハンドルＩＨ及びアウトサイドドアハンドルＯＨは、スライドドア１を手動で開閉操作する際の握手となるもので、スライドドア１の車内側及び車外側にそれぞれ設置されている。
【００１５】
運転席操作スイッチ２３は、運転者（利用者）により押操作されることで、該当する操作信号を作動トリガ取得部１１に出力する。インサイドハンドルスイッチ２４は、利用者によりインサイドドアハンドルＩＨが操作されることで、該当する操作信号を作動トリガ取得部１１に出力する。アウトサイドハンドルスイッチ２５は、利用者によりアウトサイドドアハンドルＯＨが操作されることで、該当する操作信号を作動トリガ取得部１１に出力する。
【００１６】
車載機２６は、利用者の携帯する携帯機（電子キー）２７との間で無線通信システムを構成しており、該携帯機２７のワイヤレススイッチ２７ａの押操作に伴う送信信号を受信することで、該当する操作信号を作動トリガ取得部１１に出力する。
【００１７】
なお、運転席操作スイッチ２３、インサイドハンドルスイッチ２４、アウトサイドハンドルスイッチ２５又は車載機２６からの操作信号は、利用者による運転席操作スイッチ２３、インサイドドアハンドルＩＨ、アウトサイドドアハンドルＯＨ又はワイヤレススイッチ２７ａの操作に応じて論理レベル（オン・オフ状態）が切り替わる信号である。各々の操作信号は、例えばスライドドア１の全閉状態にあってはドアモータ２１によりスライドドア１を開作動させる旨の利用者の指示（意思）を表すものであり、スライドドア１の全開状態にあってはドアモータ２１によりスライドドア１を閉作動させる旨の利用者の指示を表すものである。あるいは、各々の操作信号は、スライドドア１の開閉作動中にあっては当該開閉作動を中止させる旨の利用者の指示（意思）を表すものである。
【００１８】
作動トリガ取得部１１は、運転席操作スイッチ２３、インサイドハンドルスイッチ２４、アウトサイドハンドルスイッチ２５又は車載機２６からの操作信号を利用者からの作動要求情報として取得し、該作動要求情報をドア制御部１３及び音量制御部１５にそれぞれ出力する。なお、この作動要求情報には、スライドドア１に要求された動作情報（開作動、閉作動又は停止）や操作位置情報（運転席操作スイッチ２３、インサイドドアハンドルＩＨ（インサイドハンドルスイッチ２４）、アウトサイドドアハンドルＯＨ（アウトサイドハンドルスイッチ２５）又はワイヤレススイッチ２７ａ）が含まれる。
【００１９】
パルス取得部１２は、ドアモータ２１の回転を検知するホールＩＣから出力されたパルスを取得するとともに、該取得したパルスを計数したパルス数に基づいてスライドドア１の開閉位置を算出する。そして、パルス取得部１２は、算出したスライドドア１の開閉位置を該スライドドア１の開閉位置情報としてドア制御部１３及び音量制御部１５にそれぞれ出力する。
【００２０】
ドア制御部１３は、作動トリガ取得部１１からの作動要求情報及びパルス取得部１２からの開閉位置情報に基づいてドア作動要求信号又はドア停止要求信号を生成し、該生成したドア作動要求信号又はドア停止要求信号をドア作動要求情報又はドア停止要求情報としてドアモータ制御部１４に出力する。なお、ドア制御部１３は、各種情報に基づいてスライドドア１の開閉作動を開始し得る作動条件の成立・非成立を判断しており、該判断の結果を作動条件情報として音量制御部１５に出力する。
【００２１】
すなわち、例えばスライドドア１の全閉状態において該スライドドア１の開作動の要求があったとする。このとき、ドア制御部１３は、スライドドア１を全閉状態で保持する全閉ドアロック装置（ラッチ機構：図示略）の解除が完了しているか否かの情報を周知の方法で取得する。そして、ドア制御部１３は、全閉ドアロック装置の解除が完了している場合には作動条件が成立していることを表す作動条件情報を音量制御部１５に出力する。あるいは、ドア制御部１３は、全閉ドアロック装置の解除が完了していない場合には作動条件が成立していないことを表す作動条件情報を音量制御部１５に出力する。
【００２２】
また、スライドドア１の全開状態において該スライドドア１の閉作動の要求があったとする。このとき、ドア制御部１３は、スライドドア１を全開状態で保持する全開ドアロック装置（ラッチ機構：図示略）の解除が完了しているか否かの情報を周知の方法で取得する。そして、ドア制御部１３は、全開ドアロック装置の解除が完了している場合には作動条件が成立していることを表す作動条件情報を音量制御部１５に出力する。あるいは、ドア制御部１３は、全開ドアロック装置の解除が完了していない場合には作動条件が成立していないことを表す作動条件情報を音量制御部１５に出力する。
【００２３】
ドアモータ制御部１４は、ドア制御部１３からのドア作動要求情報に基づいてスライドドア１を開作動又は閉作動すべくドアモータ２１を駆動し、あるいはドア停止要求情報に基づいて開閉作動中のスライドドア１を停止すべくドアモータ２１の駆動を停止する。
【００２４】
音量制御部１５は、作動トリガ取得部１１からの作動要求情報、パルス取得部１２からの開閉位置情報及びドア制御部１３からの作動条件情報に基づいてブザー２２が発する報知音の音量の大きさを決定するとともに、報知音のタイプ（作動条件の成立・非成立に応じた報知音のタイプ）を決定する。
【００２５】
具体的には、音量制御部１５は、図２に示すマップ及び図３に示すテーブルを格納しており、それらに基づいてブザー２２が発する報知音の音量の大きさを決定する。例えば作動要求情報の操作位置情報が共通である場合には、音量制御部１５は、スライドドア１の開閉位置が全閉位置に近付くほど音量が増加し、全開位置に近付くほど音量が減少するように単調に増減するように報知音の音量の大きさを調整・決定する。これは、スライドドア１の開閉位置が全閉位置に近付くほど、ブザー２２の報知音が車外の人には聴こえにくくなることに対応するためである。あるいは、スライドドア１の開閉位置が全開位置に近付くほど、比較的小さい音量であってもブザー２２の報知音が車外の人に聴こえるようになり、過度の音量の大きさで車内の人に不快感を与えることを抑えるためである。
【００２６】
また、スライドドア１の開閉位置情報が共通である場合には、音量制御部１５は、その作動のトリガとなった操作位置（以下、「トリガ種類」ともいう）に応じてステップ状に変化するように報知音の音量の大きさを調整・決定する。すなわち、トリガ種類が車内となる運転席操作スイッチ２３であった場合には、図２に破線で示すように最も小さい音量が選択されるのに対し、トリガ種類が車外となるワイヤレススイッチ２７ａであった場合には、図２に実線で示すように最も大きい音量が選択される。そして、トリガ種類がインサイドドアハンドルＩＨ又はアウトサイドドアハンドルＯＨであった場合には、図２に１点鎖線又は２点鎖線で示すように中間の音量が選択される。これは、例えばトリガ種類が運転席操作スイッチ２３であった場合には、車内に人（利用者）がいる可能性が高く、過度の音量の大きさで車内の人に不快感を与えることを抑えるためである。あるいは、トリガ種類がワイヤレススイッチ２７ａであった場合には、車外に人（利用者）がいる可能性が高く、ブザー２２の報知音を車外の人に聴こえやすくするためである。また、トリガ種類がインサイドドアハンドルＩＨであった場合の中間の音量と、アウトサイドドアハンドルＯＨであった場合の中間の音量とは、アウトサイドドアハンドルＯＨの方が音量が大きく設定されている。これは、インサイドドアハンドルＩＨは車内の人が操作し、アウトサイドドアハンドルＯＨは車外の人が操作するためである。
【００２７】
さらに、音量制御部１５は、作動条件の成立状態（例えばスライドドア１の開閉作動中）と非成立状態（例えばスライドドア１の開閉作動待ち）とで互いに異なる報知音のタイプを格納しており、ドア制御部１３からの作動条件情報に基づいてブザー２２が発する報知音のタイプを選択・決定する。なお、作動条件の非成立状態では、スライドドア１が開閉作動待ちであることで、該スライドドア１の開閉位置も所定の開閉位置（例えば全閉位置）のままである。従って、この場合、音量制御部１５は、当初に調整・決定した報知音の音量の大きさを維持することになる。
【００２８】
そして、音量制御部１５は、ドア制御部１３からの作動条件情報の取得タイミングや、その論理の切り替わりタイミングに合わせて、該当の音量の大きさ及びタイプでブザー２２から報知音を発するべく、音出力部１６に音出力情報を出力する。
【００２９】
音出力部１６は、音量制御部１５からの音出力情報に基づく音出力信号をブザー２２に出力して、該ブザー２２を駆動する。これにより、ブザー２２は、該当の音量の大きさ及びタイプの報知音を発する。
【００３０】
次に、本実施形態の作用について説明する。
図４に、ドアＥＣＵ１０によるブザー２２の駆動制御態様を示すように、このルーチンに処理が移行すると、ドアＥＣＵ１０は、運転席操作スイッチ２３、インサイドドアハンドルＩＨ（インサイドハンドルスイッチ２４）、アウトサイドドアハンドルＯＨ（アウトサイドハンドルスイッチ２５）又はワイヤレススイッチ２７ａの操作入力があるか否かを判断する（Ｓ１）。
【００３１】
ここで、いずれかの操作入力があると判断されると、ドアＥＣＵ１０は、作動条件が成立しているか否かを判断する（Ｓ２）。そして、作動条件が成立していると判断されると、ドアＥＣＵ１０は、図２及び図３に示したスライドドア１の開閉位置・トリガ種類と音量との関係に従って、ブザー２２が発する報知音の音量の大きさを調整する（Ｓ３）。これにより、ブザー２２からは、作動条件の成立状態に対応するタイプの報知音が、前記調整された音量の大きさで発せられる。
【００３２】
このとき、ドアＥＣＵ１０は、並行してスライドドア１の開閉作動を行っており、これに伴ってスライドドア１の開閉位置が変化している。従って、ブザー２２からは、スライドドア１の開閉位置の変化に合わせて音量の大きさの変化する報知音が発せられることになる。
【００３３】
一方、Ｓ２において作動条件が成立していないと判断されると、ドアＥＣＵ１０は、図２及び図３に示したスライドドア１の開閉位置・トリガ種類と音量との関係に従って、ブザー２２が発する報知音の音量の大きさを調整する（Ｓ４）。これにより、ブザー２２からは、作動条件の非成立状態に対応するタイプの報知音が、前記調整され音量の大きさで発せられる。
【００３４】
このとき、ドアＥＣＵ１０は、スライドドア１の開閉作動待ちをしており、スライドドア１の開閉位置は現状のままである。従って、ブザー２２からは、当初に調整された音量の大きさのままの報知音が発せ続けられることになる。
【００３５】
なお、Ｓ１において全ての操作入力がないと判断され、あるいはＳ３又はＳ４において報知音の音量調整が行われると、その後の処理が終了する。
以上詳述したように、本実施形態によれば、以下に示す効果が得られるようになる。
【００３６】
（１）本実施形態では、スライドドア１の開閉駆動時、スライドドア１の開閉位置が全開位置に近付くほど、ブザー２２が発する報知音の音量の大きさを抑えるように音量制御部１５により音出力部１６が制御されることで、過度の音量の大きさで車内の人に不快感を与えることを抑えることができる。反対に、スライドドア１の開閉駆動時、スライドドア１の開閉位置が全閉位置に近付くほど、ブザー２２が発する報知音の音量の大きさが甚だしくなるように音量制御部１５により音出力部１６が制御されることで、車外の人に聴こえやすくすることができる。
【００３７】
このように、車内の人に与える不快感を抑えることと、車外の人に聴こえやすくすることとの両立を図ることができる。
また、スライドドア１の開閉駆動の進捗に影響を及ぼすことがなく、利便性を損ねることもない。
【００３８】
（２）本実施形態では、作動トリガ取得部１１により取得された操作位置（トリガ種類）が車内である場合、ブザー２２が発する報知音の音量の大きさを抑えるように音量制御部１５により音出力部１６が制御されることで、過度の音量の大きさで車内の人に不快感を与えることを抑えることができる。反対に、作動トリガ取得部１１により取得された操作位置（トリガ種類）が車外である場合、ブザー２２が発する報知音の音量の大きさが甚だしくなるように音量制御部１５により音出力部１６が制御されることで、車外の人に聴こえやすくすることができる。
【００３９】
なお、上記実施形態は以下のように変更してもよい。
・図５のマップ及び図６のテーブルに示すように、調整に係る報知音の音要素として、音量に代えて周波数を採用してもよい。通常、報知音は、人に緊張感を与える帯域の周波数（例えば２〜４ＫＨｚ）に設定されており、該周波数よりも低くなるほど人に与える不快感が抑えられることが知られている。
【００４０】
従って、トリガ種類が共通である場合には、スライドドア１の開閉位置が全閉位置に近付くほど周波数を高くし、全開位置に近付くほど周波数を低くするように単調に増減するように報知音の周波数の高さを調整・決定すればよい。これにより、スライドドア１の開閉位置が全開位置に近付くほど、ブザー２２が発する報知音の周波数の高さを抑えることで、過度の周波数の高さで車内の人に不快感を与えることを抑えることができる。反対に、スライドドア１の開閉駆動時、スライドドア１の開閉位置が全閉位置に近付くほど、ブザー２２が発する報知音の周波数の高さが甚だしくなることで、車外の人に聴こえやすくすることができる。
【００４１】
また、スライドドア１の開閉位置情報が共通である場合には、トリガ種類に応じてステップ状に変化するように報知音の周波数の高さを調整・決定する。すなわち、トリガ種類が車内となる運転席操作スイッチ２３であった場合には、図５に破線で示すように最も小さい周波数が選択されるのに対し、トリガ種類が車外となるワイヤレススイッチ２７ａであった場合には、図５に実線で示すように最も高い周波数が選択される。そして、トリガ種類がインサイドドアハンドルＩＨ又はアウトサイドドアハンドルＯＨであった場合には、図５に１点鎖線又は２点鎖線で示すように中間の周波数が選択される。また、トリガ種類がインサイドドアハンドルＩＨであった場合の中間の周波数と、アウトサイドドアハンドルＯＨであった場合の中間の周波数とは、アウトサイドドアハンドルＯＨの方が周波数が高く設定されている。これは、インサイドドアハンドルＩＨは車内の人が操作し、アウトサイドドアハンドルＯＨは車外の人が操作するためである。これにより、トリガ種類が車内である場合、ブザー２２が発する報知音の周波数の高さを抑えることで、過度の周波数の高さで車内の人に不快感を与えることを抑えることができる。反対に、トリガ種類が車外である場合、ブザー２２が発する報知音の周波数の高さが甚だしくなることで、車外の人に聴こえやすくすることができる。
【００４２】
なお、作動条件の成立状態（スライドドア１の開閉作動中）であれば、スライドドア１の開閉位置の変化に合わせて周波数の高さの変化する報知音がブザー２２から発せられることになる。また、作動条件の非成立状態（スライドドア１の開閉作動待ち）であれば、当初に調整された周波数の高さのままの報知音が発せ続けられることになる。
【００４３】
・前記実施形態において、調整に係る報知音の音要素として、音量に加えてメロディを採用してもよい。
・前記実施形態において、スライドドア１の開閉位置（及びトリガ種類）に応じた報知音の音要素の度合い（音量の大きさ、周波数の高さ）の調整は、段階的に増減する調整であってもよいし、多次元関数的や指数関数的に増減する調整であってもよい。
【００４４】
・前記実施形態において、作動条件の非成立状態（スライドドア１の開閉作動待ち）では、スライドドア１が全閉位置にあるときにのみ、トリガ種類に応じた報知音の音要素の度合い（音量の大きさ、周波数の高さ）の調整を行うようにし、それ以外では調整を行わないようにしてもよい。
【００４５】
あるいは、作動条件の非成立状態（スライドドア１の開閉作動待ち）では、トリガ種類に応じた報知音の音要素の度合い（音量の大きさ、周波数の高さ）の調整を行わないようにしてもよい。
【００４６】
・前記実施形態において、作動条件の成立・非成立状態に関わらず、トリガ種類に応じた報知音の音要素の度合い（音量の大きさ、周波数の高さ）の調整を行わないようにしてもよい。
【００４７】
・前記実施形態において、ブザー２２が発する報知音の音要素の度合い（音量の大きさ、周波数の高さ）は、例えば利用者により手動で調整・選択できる構成であってもよい。
・前記実施形態において、スライドドア１の開閉位置は、ドアモータ２１の回転を検知するロータリエンコーダなどで検知してもよいし、適宜の位置検知センサを用いてスライドドア１の開閉位置を直に検知するようにしてもよい。
【００４８】
・前記実施形態において、音発生手段は、ブザー２２に代えてスピーカであってもよい。
・本発明は、例えばスイング式の車両ドアに適用してもよいし、車両後部に配置されるバックドアに適用してもよい。
【００４９】
次に、上記実施形態及び別例から把握できる技術的思想について以下に追記する。
（イ）請求項２に記載の車両用ドア開閉装置において、
前記複数の操作部材は、運転席に設置された運転席操作スイッチ、インサイドドアハンドル、アウトサイドドアハンドル及び利用者が携帯する携帯機のワイヤレススイッチからなることを特徴とする車両用ドア開閉装置。
【００５０】
（ロ）請求項１、２に記載の車両用ドア開閉装置において、
前記報知音の音要素は音量であって、該音量を下げることで前記報知音の音要素の度合いを抑えることを特徴とする車両用ドア開閉装置。
【００５１】
（ハ）請求項１、２に記載の車両用ドア開閉装置において、
前記報知音の音要素は周波数であって、該周波数を下げることで前記報知音の音要素の度合いを抑えることを特徴とする車両用ドア開閉装置。
【符号の説明】
【００５２】
ＩＨ…インサイドドアハンドル（操作部材）、ＯＨ…アウトサイドドアハンドル（操作部材）、１…スライドドア（車両ドア）、１１…作動トリガ取得部（操作位置取得手段）、１２…パルス取得部（検出手段）、１５…音量制御部（音制御手段）、１６…音出力部（音駆動手段）、２１…ドアモータ（ドア駆動手段）、２２…ブザー（音発生手段）、２３…運転席操作スイッチ（操作部材）、２４…インサイドハンドルスイッチ、２５…アウトサイドハンドルスイッチ、２６…車載機、２７…携帯機、２７ａ…ワイヤレススイッチ（操作部材）。
【図１】
2014058814.tif 000003
【図２】
2014058814.tif 000004
【図３】
2014058814.tif 000005
【図４】
2014058814.tif 000006
【図５】
2014058814.tif 000007
【図６】
2014058814.tif 000008